(57)【要約】      （修正有）【課題】ドアストッパーを強固にドアに固定できる基盤部を有すると共に、ドアの底面と床面の距離が大きく或いは変化した場合でも脚部の長さを調整してドアを強固に床面に固定することのできるドアストッパーを提供する。【解決手段】基盤部は、断面Ｌ字形の取付け部材４１、５１と軸支部材４２、５２と係止部材４３、５３とを具備する。脚部は、突っ張り部材６１、７１と当接部材６２、７２とを具備する。突っ張り部材は、太管６３、７３と細管６４、７４とからなる伸縮可能な円形二重管と、二重管の内部に挿入されたコイルばねとからなり、コイルばねの一端が太管の一方の端部に固定されている。また、細管の内部に突出固定されたピン軸が、コイルばねの相隣接する線間に挿入されている。太管と細管とを互いに反対方向に回転させることで、ピン軸がコイルばね上をスライドして突っ張り部材の長さを伸縮自在に調整する。【選択図】図４
0003223833.tif 000002
【実用新案登録請求の範囲】
【請求項１】
ドアに装着可能な基盤部と、解放状態にあるドアが回動するのを阻止する脚部とを有するドアストッパーであって、
前記基盤部は、ドアの側面から底面にかけて当接する断面Ｌ字形の取付け部材と、前記脚部の一方の端部を回動可能に軸支する軸支部材と、前記脚部を未使用時に係止する係止部材とを具備し、
前記脚部は、一方の端部を前記軸支部材に軸支される突っ張り部材と、当該突っ張り部材の他方の端部に固定されて床面に当接する当接部材とを具備して、
前記突っ張り部材は、太管と細管とからなる伸縮可能な円形二重管と、当該円形二重管の内部に挿入されたコイルばねとからなり、当該コイルばねの一端が前記太管の一方の端部に固定され、
前記細管の内部に突出固定されたピン軸が、前記コイルばねの相隣接する線間に挿入されていることにより、前記太管と細管とを互いに反対方向に回転させることにより、前記ピン軸が前記コイルばね上をスライドして前記突っ張り部材の長さを伸縮自在に調整することを特徴とするドアストッパー。
【請求項２】
ドアの側面から底面にかけて当接する断面Ｌ字形の補助取付け部材を有し、
前記基盤部が具備する取付け部材と前記補助取付け部材とは、いずれもドアの底面に当接する部分において、互いに連結する嵌合構造を備え、
前記基盤部が当接するドアの側面部とは反対側の側面部に前記補助取付け部材を当接させると共に、前記基盤部が具備する取付け部材と前記補助取付け部材とをドアの底面部で重畳させることにより、前記基盤部と前記補助取付け部材とが互いの嵌合構造によって連結することを特徴とする請求項１に記載のドアストッパー。
【請求項３】
前記基盤部が具備する取付け部材と前記補助取付け部材とは、ドアの上面部を介して互いを張架する固定用ベルトを固定するための固定部を具備していることを特徴とする請求項２に記載のドアストッパー。
【請求項４】
請求項１に記載のドアストッパーを２台１組として使用し、これらの各基盤部がドアの底面に当接する部分において、互いに連結する嵌合構造を備え、
一方の基盤部が当接するドアの側面部とは反対側の側面部に他方の基盤部を当接させると共に、各基盤部が具備する各取付け部材をドアの底面部で重畳させることにより、各基盤部が互いの嵌合構造によって連結することを特徴とするドアストッパー。
【請求項５】
前記各基盤部が具備する各取付け部材は、ドアの上面部を介して互いを張架する固定用ベルトを固定するための固定部を具備していることを特徴とする請求項４に記載のドアストッパー。
【考案の詳細な説明】
【技術分野】
【０００１】
本考案は、開放したドアを任意の位置で固定するドアストッパーに関するものである。特に、ビルや住宅等の建築現場において、設置されたドアに対して床面が完成していない場合でも使用できるドアストッパーに関するものである。
【背景技術】
【０００２】
一般に、開放したドアを任意の位置で固定するドアストッパーとして、回動可能な脚部と、当該脚部を回動可能に軸支する軸支部材と脚部を係止する係止部材とを有する基盤部からなるものは存在している。例えば、下記特許文献１及び２などを挙げることができる。また、これらのドアストッパーの使用状態を改良・改善する多くの提案もなされている。
【先行技術文献】
【特許文献】
【０００３】
【特許文献１】特開２００２−０６１４４５号公報
【特許文献２】特開２００３−３０１６５２号公報
【考案の概要】
【考案が解決しようとする課題】
【０００４】
しかし、これらのドアストッパーは、一般に建築施工後のマンションや戸建て住宅などで使用されるものであり、いずれも脚部の長さが一定であり調整することはできない。これは無理もないことであって、マンションや戸建て住宅の個々のドアの底面と床面の距離はそれほど離れてはおらず、また、個々の住宅においても大きな差異はない。従って、市販品の中から自宅等の各ドアに対応した長さの脚部を持つドアストッパーを購入し使用すればよい。
【０００５】
一方、ビルや住宅等の建築現場においては、工事中に作業者が頻繁に出入りするのでドアの解放状態を確実に固定する必要がある。また、床面のコンクリート打ちや床面仕上げの前にドアが設置される場合も多い。これらの建築現場においては、ドアの底面と床面との距離が大きい場合や、床面の工事の進捗によってドアの底面と床面との距離が変化していく場合もある。このような場合には、市販の一般向けのドアストッパーを使用することができず、また、ドアを強固に固定するという意味では不安がある。
【０００６】
また、床面の状態もコンクリートであったり砂利や土であったりすることもあり、ドアストッパーの脚部を床面に確実に固定できる必要がある。更に、建築現場においては、壁面や天井などが施工途中の場合もあり、風が強くその意味でもドアに設置するドアストッパーをドアに強固に固定すると共に床面とも強固に固定する必要もある。
【０００７】
そこで、本考案は、以上のようなことに対処して、ドアストッパーを強固にドアに固定できる基盤部を有すると共に、ドアの底面と床面の距離が大きく或いは変化した場合でも脚部の長さを調整してドアを強固に床面に固定することのできるドアストッパーを提供することを目的とする。
【課題を解決するための手段】
【０００８】
上記課題の解決にあたり、本考案者は、鋭意研究の結果、ドアストッパーをドアの側面だけでなく底面にも固定できる基盤部を採用すると共に、脚部に伸縮可能な円形二重管を採用することにより、上記目的を達成できることを見出し本考案の完成に至った。
【０００９】
即ち、本考案に係るドアストッパーは、請求項１の記載によると、
ドアに装着可能な基盤部（２０）と、解放状態にあるドアが回動するのを阻止する脚部（３０）とを有するドアストッパー（１０）であって、
前記基盤部は、ドアの側面から底面にかけて当接する断面Ｌ字形の取付け部材（２１）と、前記脚部の一方の端部を回動可能に軸支する軸支部材（２２）と、前記脚部を未使用時に係止する係止部材（２３）とを具備し、
前記脚部は、一方の端部を前記軸支部材に軸支される突っ張り部材（３１）と、当該突っ張り部材の他方の端部に固定されて床面に当接する当接部材（３２）とを具備して、
前記突っ張り部材は、太管（３３）と細管（３４）とからなる伸縮可能な円形二重管と、当該円形二重管の内部に挿入されたコイルばね（３５）とからなり、当該コイルばねの一端が前記太管の一方の端部に固定され、
前記細管の内部に突出固定されたピン軸（３４ｂ）が、前記コイルばねの相隣接する線間に挿入されていることにより、前記太管と細管とを互いに反対方向に回転させることにより、前記ピン軸が前記コイルばね上をスライドして前記突っ張り部材の長さを伸縮自在に調整することを特徴とする。
【００１０】
また、本考案は、請求項２の記載によると、請求項１に記載のドアストッパーであって、
ドアの側面から底面にかけて当接する断面Ｌ字形の補助取付け部材（１２）を有し、
前記基盤部が具備する取付け部材と前記補助取付け部材とは、いずれもドアの底面に当接する部分において、互いに連結する嵌合構造を備え、
前記基盤部が当接するドアの側面部とは反対側の側面部に前記補助取付け部材を当接させると共に、前記基盤部が具備する取付け部材と前記補助取付け部材とをドアの底面部で重畳させることにより、前記基盤部と前記補助取付け部材とが互いの嵌合構造によって連結することを特徴とする。
【００１１】
また、本考案は、請求項３の記載によると、請求項２に記載のドアストッパーであって、
前記基盤部が具備する取付け部材と前記補助取付け部材とは、ドアの上面部を介して互いを張架する固定用ベルト（Ｂ）を固定するための固定部（１２ｃ，２１ｃ）を具備していることを特徴とする。
【００１２】
また、本考案に係るドアストッパーは、請求項４の記載によると、
請求項１に記載のドアストッパーを２台１組として使用し、これらの各基盤部がドアの底面に当接する部分において、互いに連結する嵌合構造を備え、
一方の基盤部が当接するドアの側面部とは反対側の側面部に他方の基盤部を当接させると共に、各基盤部が具備する各取付け部材をドアの底面部で重畳させることにより、各基盤部が互いの嵌合構造によって連結することを特徴とする。
【００１３】
また、本考案は、請求項５の記載によると、請求項４に記載のドアストッパーであって、
前記各基盤部が具備する各取付け部材は、ドアの上面部を介して互いを張架する固定用ベルト（Ｂ）を固定するための固定部（４１ｃ，５１ｃ）を具備していることを特徴とする。
【００１４】
なお、上記各手段の括弧内の符号は、後述する各実施形態に記載の具体的手段との対応関係を示す。
【考案の効果】
【００１５】
上記構成によれば、本考案に係るドアストッパーは、基盤部と脚部とを有している。また、基盤部は、ドアの側面から底面にかけて当接する断面Ｌ字形の取付け部材と、脚部の一方の端部を回動可能に軸支する軸支部材と、脚部を未使用時に係止する係止部材とを具備している。一方、脚部は、一方の端部を軸支部材に軸支される突っ張り部材と、当該突っ張り部材の他方の端部に固定されて床面に当接する当接部材とを具備している。このことにより、上記構成に係るドアストッパーは、強固にドアに固定される。
【００１６】
また、上記構成によれば、本考案に係るドアストッパーの突っ張り部材は、太管と細管とからなる伸縮可能な円形二重管と、当該円形二重管の内部に挿入されたコイルばねとからなる。コイルばねの一端は、太管の一方の端部に固定されている。一方、細管の内部に突出固定されたピン軸が、コイルばねの相隣接する線間に挿入されている。このことにより、太管と細管とを互いに反対方向に回転させることにより、ピン軸がコイルばね上をスライドして突っ張り部材の長さを伸縮自在に調整することができる。このことにより、上記構成に係るドアストッパーは、ドアの底面と床面の距離が大きく或いは変化した場合でも脚部の長さを調整してドアを強固に床面に固定することができる。
【００１７】
また、上記構成によれば、本考案に係るドアストッパーは、ドアの側面から底面にかけて当接する断面Ｌ字形の補助取付け部材を有している。また、基盤部が具備する取付け部材と補助取付け部材とは、いずれもドアの底面に当接する部分において、互いに連結する嵌合構造を備えている。このような構造において、基盤部が当接するドアの側面部とは反対側の側面部に補助取付け部材を当接させると共に、基盤部が具備する取付け部材と補助取付け部材とをドアの底面部で重畳させることにより、基盤部と補助取付け部材とが互いの嵌合構造によって連結する。このことにより、上記構成に係るドアストッパーは、ドアの厚みに対応して更に強固にドアに固定される。
【００１８】
また、上記構成によれば、本考案に係るドアストッパーは、基盤部が具備する取付け部材と補助取付け部材とは、それぞれ固定部を具備している。これらの固定部は、ドアの上面部を介して互いを張架する固定用ベルトを固定する。このように、取付け部材と補助取付け部材とが、固定用ベルトを介して張架されることにより、ドアストッパーを更に強固にドアに固定することができる。
【００１９】
また、上記構成によれば、本考案に係るドアストッパーは、上記のドアストッパーを２台１組として使用する。これら２台のドアストッパーの各基盤部がドアの底面に当接する部分において、互いに連結する嵌合構造を備えている。このような構造において、一方の基盤部が当接するドアの側面部とは反対側の側面部に他方の基盤部を当接させると共に、各基盤部が具備する各取付け部材をドアの底面部で重畳させることにより、各基盤部が互いの嵌合構造によって連結する。このことにより、２台１組のドアストッパーは、ドアの厚みに対応して更に強固にドアに固定される。
【００２０】
また、上記構成によれば、２台のドアストッパーの各基盤部が具備する各取付け部材は、それぞれ固定部を具備している。これらの固定部は、ドアの上面部を介して互いを張架する固定用ベルトを固定する。このように、各取付け部材が、固定用ベルトを介して張架されることにより、ドアストッパーを更に強固にドアに固定することができる。
【図面の簡単な説明】
【００２１】
【図１】本考案に係るドアストッパーの第１実施形態を示す正面図（Ａ）、左側面図（Ｂ−１）及び補助取付け部材の左側面図（Ｂ−２）である。
【図２】図１のドアストッパーの取付け状態と内部構造を示す側面断面図（Ｃ）、細管の断面図（Ｄ）及び嵌合部材の底面図（Ｅ）である。
【図３】本考案に係るドアストッパーの第２実施形態を示す正面図（Ａ）及び左側面図（Ｂ）である。
【図４】図３のドアストッパーの取付け状態と内部構造を示す側面断面図（Ｃ）、細管の断面図（Ｄ−１，Ｄ−２）及び嵌合部材の底面図（Ｅ）である。
【図５】図３のドアストッパーの使用状態を示す概略図である。
【図６】図３のドアストッパーを固定用ベルトで固定した使用状態を示す概略図である。
【考案を実施するための形態】
【００２２】
以下、本考案に係るドアストッパーを各実施形態により説明する。なお、本考案は、下記の各実施形態にのみ限定されるものではない。
【００２３】
≪第１実施形態≫
本第１実施形態に係るドアストッパーは、１台のドアストッパー本体と１個の補助取付け部材とからなる。図１は、本考案に係るドアストッパーの第１実施形態を示す正面図（Ａ）、左側面図（Ｂ−１）及び補助取付け部材の左側面図（Ｂ−２）である。図１において、ドアストッパー１０は、ドアストッパー本体１１と、補助取付け部材１２とから構成されている。ドアストッパー本体１１は、基盤部２０と、脚部３０とを有している。
【００２４】
基盤部２０は、ドアに取り付ける取付け部材２１と、脚部３０の一端を軸支する軸支部材２２と、脚部３０を係止する係止部材２３とを具備している。脚部３０は、突っ張り部材３１と当接部材３２とを具備している。突っ張り部材３１は、金属製の太管３３と細管３４とからなり伸縮自在に長さを調節できる（構造は後述する）。
【００２５】
取付け部材２１は、２面の金属製の面板からなる断面Ｌ字形の部材であってドア（図示せず）の側面に間接又は直接に当接する面板２１ａとドアの底面に間接又は直接に当接する面板２１ｂとが直角に交差している。また、取付け部材２１の面板２１ａの上端部には、取付け部材２１をドアに強固に取付けるための固定用ベルト（後述する）などを固定する固定部２１ｃ（図では、方形の開口部）が設けられている（図１（Ａ）参照）。なお、この固定部２１ｃは、固定用ベルトなどを使用しない場合には設けなくてもよい。
【００２６】
一方、補助取付け部材１２も２面の金属製の面板からなる断面Ｌ字形の部材であってドア（図示せず）の側面に間接又は直接に当接する面板１２ａとドアの底面に間接又は直接に当接する面板１２ｂとが直角に交差している。また、補助取付け部材１２の面板１２ａの上端部には、補助取付け部材１２をドアに強固に取付けるための固定用ベルト（後述する）などを固定する固定部１２ｃ（図では、方形の開口部）が設けられている（図１（Ｂ−２）参照）。なお、この固定部１２ｃは、固定用ベルトなどを使用しない場合には設けなくてもよい。
【００２７】
また、取付け部材２１の面板２１ｂと補助取付け部材１２の面板１２ｂとは重なり合って互いに嵌合する嵌合構造（図示せず、後述する）を有している。このように面板２１ｂと面板１２ｂとが適切な位置で嵌合することにより、取付け部材２１の面板２１ａと補助取付け部材１２の面板１２ａとの間の距離をドアの厚みに合わせて基盤部２０を強固にドアに固定することができる。
【００２８】
なお、取付け部材２１の面板２１ａ，２１ｂと補助取付け部材１２の面板１２ａ，１２ｂとをドアの側面及び底面に固定する方法は特に限定するものではなく、例えば、脱着可能な両面テープ、面ファスナー、マグネットシートなどを使用することができる。
【００２９】
軸支部材２２は、取付け部材２１の上端より少し下方にあって、面板２１ａの背面（面板２１ｂが突出する側と反対側）に突出形成した２面の金属製のフランジ２２ａ，２２ｂを設け、これらに跨って架設された支軸２２ｃによって突っ張り部材３１の太管３３の一端３３ａを回動可能に軸支している。
【００３０】
係止部材２３は、取付け部材２１の上端近くに軸支部材２２のフランジ２２ａ，２２ｂの上方に設け、脚部３０を使用しないときに係止するために使用する。その係止機構は特に限定するものではないが、例えば、マグネットなどであって脚部３０を上方に跳ね上げた状態で係止する。また、Ｕ字構造の補足治具でもって、その内側に脚部３０を補足するようにしてもよい。
【００３１】
突っ張り部材３１は、径の異なる２本の金属管（太管３３と細管３４）とからなり、太管３３の内部に挿入した細管３４を出し入れして突っ張り部材３１の長さを調整することができる。また、太管３３と細管３４の内部には、コイルばね（図示せず）が挿入されており、その一端が太管３３の一方の端部に固定されている（後述する）。
【００３２】
このことにより、太管３３と細管３４とを互いに反対方向に回転させて、突っ張り部材３１の長さを伸縮自在に調整することができる（詳細は後述する）。このことにより、ドアの底面と床面との距離が大きい場合や距離が変化した場合でも脚部３０の長さを調整してドアを強固に床面に固定することができる。
【００３３】
当接部材３２は、突っ張り部材３１が軸支部材２２によって軸支されている側と反対側であって、細管３４の一端３４ａに固定されている。当接部材３２の形状及び材質は特に限定するものではないが、球形、円錐形、紡錘形等であって、硬質ゴム製又はプラスチック製等であってもよい。また、滑り止めのための突起などを設けるようにしてもよい。なお、建築現場などで使用する場合には、床面がコンクリートであったり砂利や土であったりすることもあり、これらに対応できる当接部材３２を交換可能に用意してもよい。
【００３４】
ここで、ドアストッパー１０（特に、突っ張り部材３１）の内部構造について説明する。図２は、ドアストッパーの取付け状態と内部構造を示す側面断面図（Ｃ）、細管の断面図（Ｄ）及び嵌合部材の底面図（Ｅ）である。図２において、ドアストッパー１０は、ドア１００の図示左側面１０１の側に取り付けられている。なお、図２（Ｃ）においては、ドアストッパー１０の各部材を断面で表している。
【００３５】
まず、ドアの図示右側面１０２の下方と底面１０３に両面テープ１１１，１１２を介して補助取付け部材１２を当接させて取付ける。次に、ドアの図示左側面１０１に両面テープ１１３，１１４を介して取付け部材２１を当接させて取付ける。このとき、補助取付け部材１２の面板１２ｂと取付け部材２１の面板２１ｂとは、互いの嵌合構造によって結合している。面板１２ｂと面板２１ｂとが適正な位置で嵌合することにより、補助取付け部材１２の面板１２ａと取付け部材２１の面板２１ａとがドアの両側面１０１，１０２に当接して強固に固定される。
【００３６】
ここで、面板１２ｂと面板２１ｂとの嵌合構造について説明する。なお、本考案における嵌合構造は、下記の例にのみ限定されるものではない。
【００３７】
図２（Ｅ）には、嵌合部材の底面図を示している。また、図２（Ｃ）には、嵌合状態の断面図を示している。これらの図から、補助取付け部材１２の嵌合構造と取付け部材２１の嵌合構造とは、同じ構造をしていることが分かる。それぞれが同じ構造をすることにより、他のドアストッパーなどとの互換性がよく都合がよい。
【００３８】
図２（Ｅ）において、互いの嵌合構造は、１つの方形突起（凸部）１２ｄ，２１ｄと複数の方形空間（凹部）１２ｅ，２１ｅとからなる。また、方形空間（凹部）１２ｅ，２１ｅは、所定の間隔で設けられている。補助取付け部材１２と取付け部材２１とのうち一方の凹部に、他方の凸部が嵌合することにより補助取付け部材１２と取付け部材２１とが結合される。なお、図２（Ｃ）においては、補助取付け部材１２の凸部１２ｄが取付け部材２１の凹部２１ｅの１つと嵌合した状態を表している。
【００３９】
また、図２には表していないが、取付け部材２１と補助取付け部材１２とを嵌合すると共に、固定用ベルトでさらに強固に固定するようにしてもよい。具体的には、ドアの上面部を介してドアの両側面に渡し掛けた固定用ベルトの両端部を取付け部材２１と補助取付け部材１２との上部に設けられた固定部２１ｃ，１２ｃに挿入して固定用ベルトで締め付ける。このことにより、ドアストッパー１０をドア１００に強固に固定することができ、建築現場などの厳しい条件の下でもドアの開放状態を確実に維持することができる。
【００４０】
次に、突っ張り部材３１の内部構造について説明する。図２（Ｃ）において、突っ張り部材３１は、上述のように、径の異なる２本の金属管（太管３３と細管３４）とからなり、太管３３の内部に細管３４が挿入されている。また、太管３３の一端３３ａは、軸支部材２２によって回動可能に軸支されている。なお、図２（Ｃ）においては、突っ張り部材３１が使用されないときに、上部に跳ね上げられた状態でマグネットからなる係止部材２３によって係止されている状態も示している。
【００４１】
また、図２（Ｃ）において、太管３３と細管３４の内部には、コイルばね３５が挿入されて、その一端３５ａが太管３３の一方の端部３３ａの部分で軸支部材２２の支軸２２ｃに係止されて固定されている。また、コイルばね３５の他方の端部３５ｂは、細管３４の内部に係止されることなく挿入された状態にある。
【００４２】
一方、図２（Ｄ）は、細管３４の断面図を示している。細管３４は、中空の円管であってその内部上方には、ピン軸３４ｂが管の内部に向かって突設されている。図２（Ｃ）において、ピン軸３４ｂは、細管３４の内部に挿入されたコイルばね３５の相隣接する線間に挿入されている。このことにより、太管３３と細管３４とを互いに反対方向に回転させて、突っ張り部材３１の長さを伸縮自在に調整することができる。このことにより、ドアの底面と床面の距離が大きい場合や距離が変化した場合でも脚部３０の長さを調整してドアを強固に床面に固定することができる。
【００４３】
なお、コイルばねの強さは、建築現場などの厳しい条件の下でも使用に耐えられるものを選択することが好ましい。なお、本第１実施形態に使用したコイルばねの強度は、３．０ｃｍ圧縮時に１０．０ｋｇｆの圧力を要するものを使用したが、これは一例に過ぎず使用条件により適宜選択すればよい。
【００４４】
また、本第１実施形態においては、ドアストッパー本体をドアの一方の側面にのみ固定するものである。しかし、ドアに対する基盤部の固定が強固であり、且つ、脚部がコイルばねの作用でドアを支えることにより、建築現場などの厳しい条件の下での使用に対しても安定性を示すものとなる。
【００４５】
≪第２実施形態≫
本第２実施形態に係るドアストッパーは、同一形状の２台のドアストッパー本体からなる。図３は、本考案に係るドアストッパーの第２実施形態を示す正面図（Ａ）及び左側面図（Ｂ）である。図３において、ドアストッパー１３は、２台のドアストッパー本体１４，１５から構成されている。ドアストッパー本体１４，１５は、それぞれ同一形状の基盤部４０，５０と、脚部６０，７０とを有している。
【００４６】
基盤部４０，５０は、ドアに取り付ける取付け部材４１，５１と、脚部６０，７０の一端を軸支する軸支部材４２，５２と、脚部６０，７０を係止する係止部材４３，５３とを具備している。脚部６０，７０は、突っ張り部材６１，７１と当接部材６２，７２とを具備している。突っ張り部材６１，７１は、金属製の太管６３，７３と細管６４，７４とからなり伸縮自在に長さを調節できる。
【００４７】
取付け部材４１，５１は、２面の金属製の面板からなる断面Ｌ字形の部材であってドア（図示せず）の側面に間接又は直接に当接する面板４１ａ，５１ａとドアの底面に間接又は直接に当接する面板４１ｂ，５１ｂとが直角に交差している。また、取付け部材４１，５１の面板４１ａ，５１ａの各上端部には、取付け部材４１，５１をドアに強固に取付けるための固定用ベルト（上記第１実施形態と同様のもの）などを固定する固定部４１ｃ，５１ｃ（図では、方形の開口部）が設けられている（図３（Ａ）参照）。なお、この固定部４１ｃ，５１ｃは、固定用ベルトなどを使用しない場合には設けなくてもよい。
【００４８】
また、取付け部材４１，５１の面板４１ｂ，５１ｂは重なり合って互いに嵌合する嵌合構造（上記第１実施形態と同様の構造）を有している。このように面板４１ｂと面板５１ｂとが適切な位置で嵌合することにより、取付け部材４１，５１の面板４１ａと面板５１ａの間の距離をドアの厚みに合わせて２台の基盤部４０，５０を強固にドアに固定することができる。
【００４９】
なお、各取付け部材４１，５１の面板４１ａ，４１ｂ，５１ａ，５１ｂをドアの側面及び底面に固定する方法は、上記第１実施形態で説明したものと同様である。
【００５０】
なお、本第２実施形態において使用するドアストッパー本体１４，１５が具備する各部材の構成と構造は、上記第１実施形態のドアストッパー本体１１と同様である。よって、軸支部材４２，５２、係止部材４３，５３、突っ張り部材６１，７１、及び、当接部材６２，７２の説明は省略する。
【００５１】
次に、ドアストッパー１３の内部構造について説明する。図４は、ドアストッパーの取付け状態と内部構造を示す側面断面図（Ｃ）、細管の断面図（Ｄ−１，Ｄ−２）及び嵌合部材の底面図（Ｅ）である。図４において、ドアストッパー１３は、ドア２００の図示両側面２０１，２０２に取り付けられている。なお、図４（Ｃ）においては、ドアストッパー１３の各部材を断面で表している。
【００５２】
まず、ドアの図示左側面２０１の下方と底面２０３に両面テープ２１１，２１２，２１３を介して取付け部材５１を当接させて取付ける。次に、ドアの図示右側面２０２に両面テープ１１４，１１５を介して取付け部材４１を当接させて取付ける。このとき、取付け部材４１の面板４１ｂと取付け部材５１の面板５１ｂとは、互いの嵌合構造によって結合している。面板４１ｂと面板５１ｂとが適正な位置で嵌合することにより、各取付け部材４１，５１の面板４１ａと面板５１ａとがドアの両側面２０２，２０１に当接して強固に固定される。
【００５３】
なお、面板４１ｂと面板５１ｂとの嵌合構造については、上記第１実施形態における補助取付け部材１２の面板１２ｂと取付け部材２１の面板２１ｂとの嵌合構造を同様であり省略する（図４（Ｅ）参照）。なお、図４（Ｃ）においては、取付け部材５１の凸部５１ｃが取付け部材４１の凹部４１ｄの１つと嵌合した状態を表している。
【００５４】
また、図４には表していないが、上記第１実施形態で説明したように、各取付け部材４１，５１を嵌合すると共に、固定用ベルトでさらに強固に固定するようにしてもよい。具体的には、ドアの上面部を介してドアの両側面に渡し掛けた固定用ベルトの両端部を各取付け部材４１，５１の上部に設けられた固定部４１ｃ，５１ｃに挿入して固定用ベルトで締め付ける。このことにより、ドアストッパー１３をドア２００に強固に固定することができ、建築現場などの厳しい条件の下でもドアの開放状態を確実に維持することができる。
【００５５】
次に、突っ張り部材６１，７１の内部構造について説明する。図４（Ｃ）において、突っ張り部材６１，７１は、上記第１実施形態と同様に、径の異なる２本の金属管（太管６３，７３と細管６４，７４）とからなり、太管６３，７３の内部に細管６４，７４が挿入されている。また、太管６３，７３の一端６３ａ，７３ａは、軸支部材４２，５２によって回動可能に軸支されている。なお、図４（Ｃ）においては、突っ張り部材６１，７１が使用されないときに、上部に跳ね上げられた状態で係止部材４３，５３によって係止されている状態も示している。
【００５６】
また、図４（Ｃ）において、太管６３，７３と細管６４，７４の内部には、コイルばね６５，７５が挿入されて、その一端６５ａ，７５ａが太管６３，７３の一方の端部６３ａ，７３ａの部分で軸支部材４２，５２の支軸４２ｃ，５２ｃに係止されて固定されている。また、コイルばね６５，７５の他方の端部６５ｂ，７５ｂは、細管６４，７４の内部に係止されることなく挿入された状態にある。
【００５７】
一方、図４（Ｄ−１），（Ｄ−２）は、細管６４，７４の断面図を示している。細管６４，７４は、中空の円管であってその内部上方には、ピン軸６４ｂ，７４ｂが管の内部に向かって突設されている。図４（Ｃ）において、ピン軸６４ｂ，７４ｂは、それぞれ細管６４，７４の内部に挿入されたコイルばね６５，７５の相隣接する線間に挿入されている。このことにより、太管６３，７３と細管６４，７４とを互いに反対方向に回転させて、突っ張り部材６１，７１の長さを伸縮自在に調整することができる。このことにより、ドアの底面と床面の距離が大きい場合や距離が変化した場合でも脚部６０，７０の長さを調整してドアを強固に床面に固定することができる。
【００５８】
図５は、本第２実施形態のドアストッパーの使用状態を示す概略図である。図５は、建築現場で既にドア２００が設置されているが、床面Ｇが下地のコンクリートの状態であって、床面Ｇからドア２００の底面２０３までの距離Ｘがまだ広い場合である。建築現場においては、作業中は既に設置されたドア２００の開放状態を確実に維持する必要がある。そこで、ドア２００の両側面２０１，２０２に２台のドアストッパー本体１４，１５を有するドアストッパー１３を設置している。
【００５９】
なお、コイルばねの強さは、上記第１実施形態の場合と同様に建築現場などの厳しい条件の下でも使用に耐えられるものを選択することが好ましい。なお、本第２実施形態に使用したコイルばねの強度は、上記第１実施形態と同様に３．０ｃｍ圧縮時に１０．０ｋｇｆの圧力を要するものを使用したが、これは一例に過ぎず使用条件により適宜選択すればよい。
【００６０】
なお、本第２実施形態においては、ドアストッパー本体をドアの両方の側面に固定するものである。従って、基盤部の固定が強固であり、且つ、脚部がコイルばねの作用でドアを支えることに加え、ドアを両側から強固に支持することができる。このことにより、建築現場などの厳しい条件の下での使用に対しても、上記第１実施形態の場合よりも更に安定性を示すものとなる。
【００６１】
次に、図６は、本第２実施形態のドアストッパーを固定用ベルトで固定した使用状態を示す概略図である。建築現場に既に設置されているドア２００の状況は、図５と同様である。また、ドア２００の両側面２０１，２０２に２台のドアストッパー本体１４，１５を有するドアストッパー１３を設置する構成は、コイルばねの強度も含め図５と同様である。
【００６２】
図６においては、ドア２００の両側面２０１，２０２に２台のドアストッパー本体１４，１５を設置すると共に、各取付け部材４１，５１の上部に設けられた固定部４１ｃ，５１ｃに固定用ベルトＢの両端部を固定する。次に、この固定用ベルトＢをドア２００の上面部２０４を介してドアの両側面２０１，２０２に渡し掛ける。この状態で、固定用ベルトＢを締め付ける。このことにより、建築現場などの厳しい条件の下での使用に対しても、図５の使用状態よりも更に安定性を示すものとなる。
【００６３】
以上説明したように、本考案によれば、ドアストッパーを強固にドアに固定できる基盤部を有すると共に、ドアの底面と床面の距離が大きく或いは変化した場合でも脚部の長さを調整してドアを強固に床面に固定することのできるドアストッパーを提供することができる。
【００６４】
なお、本考案の実施にあたり、上記各実施形態に限らず次のような種々の変形例が挙げられる。
（１）上記第１実施形態においては、１台のドアストッパー本体と１個の補助取付け部材とを組み合わせて使用する。また、上記第２実施形態においては、２台のドアストッパー本体を組み合わせて使用する。しかし、これらに限定するものではなく、補助取付け部材或いはもう１台のドアストッパー本体と組み合わせることなく、１台のドアストッパー本体のみを使用するようにしてもよい。
（２）上記各実施形態においては、基盤部や脚部の主だった構造を金属製とした。しかし、これらに限定するものではなく、強度を維持できる材料であれば金属以外の材料を使用するようにしてもよい。
（３）上記各実施形態においては、取付け部材及び補助取付け部材に固定用ベルトを固定するための固定部を設けたもので説明した。しかし、これらに限定するものではなく、取付け部材及び補助取付け部材に固定部を設けなくてもよい。また、固定部を設けた場合であっても、それらの部分を使用して固定用ベルトを併用しなくてもよい。
【符号の説明】
【００６５】
１０，１３…ドアストッパー、１２…補助取付け部材、
１１，１４，１５…ドアストッパー本体、
２０，４０，５０…基盤部、２１，４１，５１…取付け部材、
２２，４２，５２…軸支部材、
２２ａ，２２ｂ，４２ａ，４２ｂ，５２ａ，５２ｂ…フランジ、
２２ｃ，４２ｃ，５２ｃ…支軸、２３，４３，５３…係止部材、
３０，６０，７０…脚部、３１，６１，７１…突っ張り部材、
３２，６２，７２…当接部材、３３，６３，７３…太管、３４，６４，７４…細管、
３４ｂ，６４ｂ，７４ｂ…ピン軸、３５，６５，７５…コイルばね、
１２ｄ，２１ｄ，４１ｄ，５１ｄ…嵌合構造の方形突起（凸部）、
１２ｅ，２１ｅ，４１ｅ，５１ｅ…嵌合構造の方形空間（凹部）、
１００，２００…ドア、１０１，１０２，２０１，２０２…ドア側面、
１０３，２０３…ドア底面、
１２ｃ，２１ｃ，４１ｃ，５１ｃ…固定部、Ｂ…固定用ベルト、
Ｇ…床面、Ｘ…床面からドア底面までの距離。
【図１】
0003223833.tif 000003
【図２】
0003223833.tif 000004
【図３】
0003223833.tif 000005
【図４】
0003223833.tif 000006
【図５】
0003223833.tif 000007
【図６】
0003223833.tif 000008